(57)【要約】【課題】使用する人の頭部形状によって装着が不安定となることなく、最適な側圧で着用することができるヘッドホンを提供すること。【解決手段】一対のスピーカユニット１０ａ及び１０ｂをヘッドバンド２で連結したヘッドホンであって、ヘッドバンド２の端部２ａ及び２ｂの近傍に、円弧形状をなすように形状が記憶された形状記憶合金からなるスタビライザー４が装着されている。【選択図】図１
2009290621.tif 000002
【特許請求の範囲】
【請求項１】
一対のスピーカユニットをヘッドバンドで連結したヘッドホンであって、前記ヘッドバンドの両端部または該両端部近傍に、円弧形状をなすようにその形状が記憶された形状記憶合金からなるスタビライザーが装着されていることを特徴とするヘッドホン。
【請求項２】
前記形状記憶合金からなるスタビライザーは、前記ヘッドバンドの両端部または該両端部近傍に着脱可能に装着されていることを特徴とする請求項１に記載のヘッドホン。
【請求項３】
前記形状記憶合金からなるスタビライザーは、その表面部に、前記円弧形状の特性パターンを識別する形状識別情報を備えていることを特徴とする請求項１に記載のヘッドホン。
【請求項４】
前記形状記憶合金からなるスタビライザーは、その表面部に、形状記憶の復元荷重の特性パターンを識別する側圧識別情報を備えていることを特徴とする請求項１に記載のヘッドホン。
【請求項５】
前記形状識別情報は、所定のカラー色の被膜層からなることを特徴とする請求項３に記載のヘッドホン。
【請求項６】
前記側圧識別情報は、所定のカラー色の被膜層からなることを特徴とする請求項４に記載のヘッドホン。
【発明の詳細な説明】
【技術分野】
【０００１】
本発明は、側圧調整機能を備えたヘッドホンに関する。
【背景技術】
【０００２】
特許文献１に記載の考案で提案されているように、従来から実用化されているヘッドホンは、一般にスピーカユニットを筐体の内部に備え、その筐体の外側をヘッドバンドなどの筐体支持手段によって接合し、スピーカユニットを耳部に保持させるものがある。このヘッドホンでは、上記筐体支持手段は、剛体からなる複数の支持部材と、これらの支持部材に接合され、筐体を側頭部方向に弾性付勢可能な弾性部材とから構成されている。
【０００３】
また、特許文献２に記載の発明で提案されているように、内部にドライブユニットを収納したハウジングと、ハウジングに回動可能に連結されたハンガと、そのハンガに回動可能に取り付けられているスライドガイドと、そのスライドガイドに摺動可能に連結された摺動子と、その摺動子が両端に取り付けられているヘッドバンドとを備え、そのヘッドバンドが形状記憶合金から構成されているものがある。このヘッドホンでは、形状記憶合金から成るヘッドバンドによって左右のハウジングが連結されている。
【０００４】
【特許文献１】実開平４−１２７８９号公報
【特許文献２】特開平６−１１３３８５号公報
【発明の開示】
【発明が解決しようとする課題】
【０００５】
上記した特許文献１に記載のヘッドホンでは、使用者が頭部に装着した時に支持部材に接合され弾性部材によって、スピーカユニットを側頭部方向（耳方向）に付勢することが可能となる。しかしながら、使用する人の頭部形状（例えば、顔幅や頭部の大きさ等）によって、側圧が変化するために装着が不安定となる、又は、側圧が強すぎる等の問題があった。なお、側圧とは、ヘッドホン装着時に側頭部にかかる圧力をいう。
【０００６】
また、上記した特許文献２に記載のヘッドホンは、形状記憶合金から構成されている。この形状記憶合金から構成されたヘッドバンドは、左右のハウジングを側頭部方向に付勢することが可能となる。しかしながら、使用する人の頭部形状（例えば、顔幅や頭部の大きさ等）によって、側圧が変化するために装着が不安定となる、又は、側圧が強すぎる等の問題があった。
【０００７】
本発明は、上述した事情に鑑みてなされたものであり、上述のような問題を解決することを課題の一例とするものであり、これらの問題を解決することが出来るヘッドホンを提供することを目的とする。
【課題を解決するための手段】
【０００８】
上記課題を解決するために、請求項１に係るヘッドホンは、一対のスピーカユニットをヘッドバンドで連結したヘッドホンであって、前記ヘッドバンドの両端部または該両端部近傍に、円弧形状をなすようにその形状が記憶された形状記憶合金からなるスタビライザーが装着されていることを特徴とする。
【発明を実施するための最良の形態】
【０００９】
図１は、本発明の実施の形態に係るヘッドホンの一例を示す斜視図、図２は、図１に示すスタビライザーの一例を示す斜視図、図３は、図１に示すスタビライザーをヘッドバンドに装着する際の位置関係を示した斜視図、図４は、図１に示すスタビライザーの係止構造の一例を示す断面図である。
【００１０】
本発明に係るヘッドホン１は、図１に示すように、円弧状を呈したヘッドバンド２の両端に一対のスピーカユニット１０ａ及び１０ｂを備えている。スピーカユニット１０ａ及び１０ｂは、ハウジング１１ａ、１１ｂ、小型スピーカ（図示せず）、パッド１３ａ及び１３ｂから構成されている。ここでは、後述するスタビライザー４が前面、ハウジング１１ａ及び１１ｂが下面として説明する。
【００１１】
スピーカユニット１０ａ及び１０ｂを構成するハウジング１１ａ、１１ｂは、略皿状を呈しており、ハウジング１１ａ及び１１ｂの内部には、小型スピーカが収納されている。また、それぞれのハウジング１１ａ及び１１ｂの端部には、連結部材１２ａ及び１２ｂを備えており、それぞれのハウジング１１ａ及び１１ｂは、連結部材１２ａ及び１２ｂを介して、後述するヘッドバンド２の両端に連結されている。さらに、ハウジング１１ａ及び１１ｂの使用者の側頭部側となる放音面には、パッド１３ａ及び１３ｂが取り付けられている。なお、パッド１３ａ及び１３ｂには、耳へ接触した際のフィット感を高めるために、クッション性を有した、例えば低反発ウレタンなどからなる素材を使用する。
【００１２】
また、一方のハウジング１１ｂの端部からは、音響機器（例えば、CDプレーヤーやDVDプレーヤーなど）のヘッドホン接続端子に接続する入力コード１４が取り付けられている。そして、音響機器から出力された音声信号は、入力コード１４を介してハウジング１１ｂ内の小型スピーカに入力されている。また、入力コードに出力された音声出力は、ヘッドバンド２を貫通する信号線（図示せず）を介して、他方のハウジング１１ａ内の小型スピーカに入力される。
【００１３】
前記ヘッドバンド２は、使用者の頭頂部側となる内周側に、頭頂部に接するバンド３を配している。このバンド３は、伸縮自在な材質からなる、例えば合成樹脂から製造された連結ベルトによってヘッドバンド２の端部２ａ及び２ｂに連結されている。また、ヘッドバンド２の端部２ａ及び２ｂの近傍には、スタビライザー４が装着されている。そして、ヘッドバンド２の端部２ａ及び２ｂの近傍には、後述する係止部２ｃ及び２ｄ（図３及び図４参照）が設けられており、この係止部２ｃ及び２ｄによって、スタビライザー４をバンド３の外周側で且つヘッドバンド２の前面側に着脱可能に支持している。
【００１４】
図１又は図２に示す様に、スタビライザー４は、略円弧状を呈しており、アーム部４ａと、アーム部４ａの両端部に取り付けられたジョイント部４ｂ及び４ｃから構成されている。このアーム部４ａは、復元荷重の特性を有した、例えば、ニッケル・チタン合金等からなる形状記憶合金から形成されている。
【００１５】
具体的には、スタビライザー４のアーム部４ａは、上記形状記憶合金からなる断面形状が円形又は長方形状の線材であり、例えば元の状態に復帰する超弾性状態への変態温度を摂氏５度に設定して略円弧状に成形加工を施して製造する。このように低温下で形状記憶されると、スタビライザー４は、摂氏５度以上の温度において、成形加工時の略円弧状の形状に復帰しようとする復元荷重の特性を有することとなる。
【００１６】
スタビライザー４は、予め復元荷重の異なる複数のパターン及び大きさや形状の異なる複数のパターンを製造する。そして、ヘッドホン１を販売するときに、数パターンのスタビライザー４を選択して販売するようにする。これにより、ヘッドホン１の使用者は、自分の好みのスタビライザー４を選択し、スタビライザー４を取り替えることにより、使用者の側頭部にかかる側圧を変更することが可能となる。
【００１７】
また、スタビライザー４は、その表面部に前記複数のパターンを識別するためのカラー色（例えば、赤、緑、紫）の被膜層を備えるようにする。スタビライザー４に設けられたカラー色の被膜層は、側圧の異なるスタビライザー４の識別が可能となる側圧識別情報及び大きさや形状の異なるスタビライザー４の識別が可能となる形状識別情報を示している。
【００１８】
次に、スタビライザー４の係止構造について説明する。図３及び図４に示すように、係止部２ｃ及び２ｄは、略凸状に形成されている。その先端には、強力な磁力を有する、例えば、希土類磁石の粉末を含むボンド磁石２ｅが一体形成されている。
【００１９】
一方、スタビライザー４のジョイント部４ｂ及び４ｃは、係止部２ｃ及び２ｄと嵌合するように略凹状に形成されている。また、ジョイント部４ｂ及び４ｃの下面は、係止部２ｃ及び２ｄに設けられたボンド磁石２ｅと磁着可能な、例えば、鉄合金からなる磁性材から構成されている。これにより、スタビライザー４のジョイント部４ｂ及び４ｃを係止部２ｃ及び２ｄに位置整合して嵌合させると、ボンド磁石２ｅの磁力により、スタビライザー４は、ヘッドバンド２に着脱可能に支持される。
よって、形状記憶合金の特性を利用して、復元荷重の異なる複数のスタビライザー４を用意することが出来ると共に、このスタビライザー４を付け替えることにより、容易に側圧を変更することが出来る。そして、この時にスタビライザー４のアーム部４ｂは、カラー色の被膜層を備えているので、大きさや側圧の異なるスタビライザー４を色によって識別可能となる。
【００２０】
以上、詳述した本発明に係る実施の形態のヘッドホン１は、一対のスピーカユニット１０ａ及び１０ｂをヘッドバンド２で連結したヘッドホンであって、ヘッドバンド２の端部２ａ及び２ｂの近傍に、円弧形状をなすように形状が記憶された形状記憶合金からなるスタビライザー４が装着されている。
これにより、側圧を変更するための特別な機構を設けずに構成することが可能となり、外観の向上及び商品価値の向上を図ることができる。
【００２１】
以上、本発明の実施の形態について図面を参照して詳述してきたが、具体的な構成はこの実施の形態に限られるものではなく、本発明の要旨を逸脱しない範囲の設計の変更等があっても本発明に含まれる。
例えば、上述の実施の形態では、係止部２ｃ及び２ｄに一体形成されたボンド磁石２ｅによりスタビライザー４を着脱可能に支持する構成の例を示したが、これに限定されず、ネジ部材によってスタビライザー４を螺着するようにしたり、ジョイント部４ｂ及び４ｃを係止部２ｃ及び２ｄを凹凸形状に形成して嵌合するようにしたりしても良い。
【図面の簡単な説明】
【００２２】
【図１】本発明の実施の形態に係るヘッドホンの一例を示す斜視図である。
【図２】図１に示すスタビライザーの一例を示す斜視図である。
【図３】図１に示すスタビライザーをヘッドバンドに装着する際の位置関係を示した斜視図である。
【図４】図１に示すスタビライザーの係止構造の一例を示す断面図である。
【符号の説明】
【００２３】
１…ヘッドホン、２…ヘッドバンド、２ｃ，２ｄ…係止部、２ｅ…ボンド磁石、３…バンド、４…スタビライザー、４ｂ，４ｃ…ジョイント部、１０ａ，１０ｂ…スピーカユニット、１１ａ，１１ｂ…ハウジング、１２ａ，１２ｂ…連結部材、１３ａ，１３ｂ…パッド、１４…入力コード
【図１】
2009290621.tif 000003
【図２】
2009290621.tif 000004
【図３】
2009290621.tif 000005
【図４】
2009290621.tif 000006